(57)【要約】【課題】整流部材の裏面側に空気だまりが生じないようにする。【解決手段】河川やダムにおける放水路Ａの水たたき面Ｂに鋼製の整流部材１を施工する方法である。整流部材１を表裏反転させた状態で整流部材１の裏面側に形成された凹形状部１ｂａに先行コンクリート２を打設して養生する。その後、この先行コンクリート２を打設した整流部材１を水たたき面Ｂの所定位置に設置する。【効果】整流部材と打設する先行コンクリートの間に空気だまりが生じることがなく、品質が向上する。また、整流部材にコンクリートの注入孔及び空気抜き孔を設ける必要や、コンクリートの打設後にコンクリートの注入孔や空気抜き孔を塞ぐ必要もなく、施工の効率化、工期の短縮が図れる。【選択図】図１
2015151705.tif 000002
【特許請求の範囲】
【請求項１】
河川やダムにおける放水路の水たたき面に鋼製の整流部材を施工する方法であって、
前記整流部材を表裏反転させた状態で整流部材の裏面側に形成された凹部にコンクリートを打設して養生した後、
このコンクリートを打設した整流部材を前記水たたき面の所定位置に設置することを特徴とする河川やダムにおける整流部材の施工方法。
【請求項２】
請求項１に記載の施工方法に使用する前記整流部材は、コンクリートの注入孔及び空気抜き孔が設けられていないことを特徴とする河川やダムにおける整流部材の施工方法。
【発明の詳細な説明】
【技術分野】
【０００１】
本発明は、例えばコンクリートで施工される河川やダムにおける放水路の水たたき面（放流水が落下して当たる面）に鋼製の整流部材を施工する方法に関するものである。
【背景技術】
【０００２】
コンクリートで施工される河川やダムの場合、放水路の水たたき面の洗掘を防止するために、水たたき面に鋼製の整流部材を敷設することが行われている（例えば特許文献１）。
【０００３】
特許文献１に記載された保護ライナ、すなわち整流部材は、放水路の水たたき面に設置した後、整流部材の表面側に設けた注入孔からコンクリートを流し込むことによって敷設が完了する。
【０００４】
このコンクリートの打設に際し、整流部材の裏面側に形成された凹形状部に存在する空気が空気抜き孔から完全に排出されないと、整流部材の裏面側に空気だまりが生じることになって、強度の低下が懸念される。
【０００５】
従って、特許文献１に記載された保護ライナに限らず、裏面側が凹形状に形成された整流部材にコンクリートを流し込む場合は、バイブレータで振動を付与しながら行うことで、整流部材の裏面側に空気だまりが生じないようにしている。
【０００６】
また、コンクリートの打設後に、コンクリートの注入孔や空気抜き孔を塞ぐために鋼板を溶接する必要があり、打設したコンクリートが入熱することでコンクリートにひび割れが生じるおそれがある。
【先行技術文献】
【特許文献】
【０００７】
【特許文献１】実公平５−２９２２４号公報
【発明の概要】
【発明が解決しようとする課題】
【０００８】
本発明が解決しようとする問題点は、従来、実施している鋼製整流部材の施工方法では、施工性の悪い整流部材の設置場所において、整流部材の裏面側に空気だまりが生じないように、バイブレータで振動を付与しながらコンクリートを打設しているので、施工効率が悪く、工期が長くなるという点である。また、コンクリートの打設後に、コンクリートの注入孔や空気抜き孔に鋼板を溶接して塞ぐため、打設したコンクリートが入熱することでコンクリートにひび割れが生じるおそれがあるという点である。
【課題を解決するための手段】
【０００９】
本発明は、上記問題を解決するために、バイブレータで振動を付与しつつ、コンクリートの注入孔や空気抜き孔を設けた整流部材の裏面側にコンクリートを打設しなくても、空気だまりが生じないようにすることを目的としてなされたものである。
【００１０】
本発明は、
河川やダムにおける放水路の水たたき面に鋼製の整流部材を施工する方法であって、
前記整流部材を表裏反転させた状態で整流部材の裏面側に形成された凹部にコンクリートを打設して養生した後、
このコンクリートを打設した整流部材を前記水たたき面の所定位置に設置することを最も主要な特徴としている。
【００１１】
上記本発明方法では、予め施工性の良い場所で、整流部材を表裏反転させた状態で整流部材の裏面側に形成された凹部にコンクリートを打設するので、整流部材と打設コンクリートの間に空気だまりが生じることがない。
【００１２】
また、上記本発明方法によれば、整流部材にコンクリートの注入孔及び空気抜き孔を設ける必要がないので、当然にコンクリートの打設後にコンクリートの注入孔や空気抜き孔を塞ぐ必要もない。従って、施工の効率化、工期の短縮が図れる。
【発明の効果】
【００１３】
本発明では、整流部材の裏面側に形成された凹部へのコンクリートの打設を、整流部材を表裏反転させた状態で放水路の水たたき面への設置前に行っている。
【００１４】
従って、整流部材と打設コンクリートの間に空気だまりが生じることがなく、品質が向上する。また、整流部材にコンクリートの注入孔及び空気抜き孔を設ける必要や、コンクリートの打設後にコンクリートの注入孔や空気抜き孔を塞ぐ必要もなく、施工の効率化、工期の短縮が図れる。
【図面の簡単な説明】
【００１５】
【図１】本発明方法によってダムの放水路の水たたき面に敷設した鋼製の整流部材を示した平面図であり、紙面上方は小放流設備側を、紙面下方は大放流設備側を示している。
【図２】図１の側面図であり、（ａ）は小放流設備側、（ｂ）は大放流設備側を示した図である。
【図３】整流部材を表裏反転させた状態で整流部材の裏面側に形成された凹部にコンクリートを流し込む状況を示した図である。
【図４】脚材に取付ける固定材の一例を示した図で、（ａ）は正面図、（ｂ）は側面図である。
【発明を実施するための形態】
【００１６】
本発明は、整流部材と打設コンクリートの間に空気だまりが生じないようにし、かつ、コンクリート打設後にコンクリートの注入孔や空気抜き孔を塞ぐことに起因する問題が発生しないようにするという目的を、整流部材を表裏反転させた状態で放水路の水たたき面への設置前にコンクリートを打設することで実現した。
【実施例】
【００１７】
以下、本発明を実施するための形態を、図１〜図４を用いて詳細に説明する。
図１は本発明方法によってダムの放水路の水たたき面に敷設した鋼製整流部材の平面図であり、紙面上方は小放流設備側を、紙面下方は大放流設備側を示した図、図２は大放流設備側及び小放流設備側における図１の側面図、図３は本発明方法により整流部材の裏面側に形成された凹部にコンクリートを流し込む状況を示した図、図４は脚材に取付ける固定材の一例を示した図である。
【００１８】
１は鋼製の整流部材であり、例えば、スキンプレート１ａの裏面側に、井桁状に形成した補強用の枠組み１ｂを一体的に配置し、この枠組み１ｂの外周側に据付け用の脚材１ｃを設置した構成で、スキンプレート１ａの裏面側には前記枠組み１ｂより突出するように、多数の棒状ジベル１ｄａと多数のＴ型ジベル１ｄｂが設置されている。但し、本発明では、この整流部材１を構成するスキンプレート１ａには、コンクリートの注入孔及び空気抜き孔は設けられていない。
【００１９】
上記構成の整流部材１は、図１及び図２に示すように、例えばダムの放水路Ａの水たたき面Ｂに敷設することで、放水路Ａの水たたき面Ｂの洗掘を防止する。
【００２０】
以下、上記構成の整流部材１をダムの放水路Ａの水たたき面Ｂに施工する方法について説明する。
【００２１】
設置現場において、上記構成の整流部材１を表裏反転させて仮置きする。
この状態で、図３に示すように、整流部材１を構成するスキンプレート１ａの裏面側に一体的に配置された枠組み１ｂによって形成された凹部１ｂａに先行コンクリート２を打設する。この先行コンクリート２の打設時における整流部材１と先行コンクリート２の付着性は、棒状ジベル１ｄａによって確保される。
【００２２】
先行コンクリート２を打設後、養生が完了したら、この打設した先行コンクリート２の表面をチッピングした後、整流部材１をクレーンで吊り上げて前記水たたき面Ｂの設置位置まで移動する。
【００２３】
移動後は、整流部材１の脚材１ｃにボルト３とナット４で固定材１ｅを取付けて高さレベルを調整する。この高さレベルの調整は、固定材１ｅを構成する壁板１ｅａに設けたボルト３の貫通孔１ｅｂを長孔とすることで可能になる。
【００２４】
整流部材１の高さレベルを調整した後は、固定材１ｅを構成する底板１ｅｃにアンカーボルトを貫通させて整流部材１を設置位置で固定する。
【００２５】
整流部材１を固定した後は、整流部材１を含む放水路Ａの越流側全体に型枠を設置して後行コンクリート５を打設する。この後行コンクリート５の打設時における先行コンクリート２を打設した整流部材１と後行コンクリート５の付着性は、棒状ジベル１ｄａとＴ型ジベル１ｄｂによって確保される。
【００２６】
後行コンクリート５の養生が完了した後は、型枠を撤去すれば整流部材１の施工が完了する。
【００２７】
上記本発明方法の場合、整流部材１と打設した先行コンクリート２の間に空気だまりが生じることがない。また、整流部材１に先行コンクリート２の注入孔及び空気抜き孔を設ける必要がないので、当然に先行コンクリート２の打設後に先行コンクリート２の注入孔や空気抜き孔を塞ぐ必要もない。
【００２８】
すなわち、本発明方法によれば、作業性の悪い現地作業の効率化を図ることができて、整流部材１の施工時の工期短縮が図れる。
【００２９】
本発明は、前記の例に限るものではなく、各請求項に記載の技術的思想の範疇であれば、適宜実施の形態を変更しても良いことは言うまでもない。
【符号の説明】
【００３０】
１    整流部材
１ｂａ    凹形状部
２    先行コンクリート
Ａ    ダムの放水路
Ｂ    水たたき面
【図１】
2015151705.tif 000003
【図２】
2015151705.tif 000004
【図３】
2015151705.tif 000005
【図４】
2015151705.tif 000006